(57)【特許請求の範囲】
【請求項１】
増幅手段で増幅される入力信号をプレディストーション処理し、上記増幅手段で増幅された出力信号の歪補償を行なうプレディストータにおいて、
上記出力信号の一部と上記入力信号とを用いて、上記入力信号の振幅参照値と歪補償係数とを補償データとして算出する係数算出手段と、
上記係数算出手段で算出した上記補償データを一定量保存して、上記振幅参照値の大きさ順に上記一定量の補償データを並べ替えて新規の補償テーブルを作成して更新する補償テーブル更新手段と、
上記入力信号の振幅値を検出し、上記入力信号の振幅値に対応する上記振幅参照値を持った上記補償データを上記補償テーブルから読み出し、この補償データの上記歪補償係数を用いて上記入力信号を上記プレディストーション処理して上記増幅手段へ出力する歪補償手段とを備えることを特徴とするプレディストータ。
【請求項２】
歪補償手段は、
入力信号の振幅値と同じ振幅参照値に対応する補償データが使用中の補償テーブルに存在しない場合に、上記振幅値近傍の振幅参照値を持った補償データを上記使用中の補償テーブルから探し出して補間処理し、上記振幅値に相当する補償データを算出するとともに、上記補間処理した補償データを読み出してプレディストーション処理を行うことを特徴とする請求項１記載のプレディストータ。
【請求項３】
補償テーブル更新手段は、
一定量保存した各補償データの振幅参照値と、使用中の補償テーブルの各振幅参照値とが同じ大きさとなるように、上記一定量保存した各補償データを補間処理して新規の補償テーブルを作成することを特徴とする請求項１記載のプレディストータ。
【請求項４】
補償テーブル更新手段は、
係数算出手段で算出された補償データを一定量保存して、入力信号の振幅値の大きさ順に並べ替えた上記補償テーブル中の上記補償データの振幅参照値を所定幅に区切って離散化し、上記所定幅毎に上記補償データを平均化処理して新規の補償テーブルを作成することを特徴とする請求項１記載のプレディストータ。
【請求項５】
アナログ信号を復調した信号を係数算出手段および歪補償手段へそれぞれ出力する復調手段を備えることを特徴とする請求項１記載のプレディストータ。
【請求項６】
係数算出手段は、ＬＭＳアルゴリズムを用いて補償データを算出することを特徴とする請求項１記載のプレディストータ。
【請求項７】
請求項１から請求項６のうちのいずれか１項記載のプレディストータと、
入力信号が入力され、上記プレディストータへ上記入力信号を与える入力端子と、
上記プレディストータでプレディストーション処理した入力信号を増幅して上記出力信号として出力する増幅手段と、
出力信号が出力される出力端子と、
上記増幅手段から出力された上記出力信号を上記出力端子へ出力するとともに、上記増幅手段から出力された出力信号を分岐して上記プレディストータへ与える分岐手段とを備えることを特徴とする低歪増幅器。
【請求項８】
増幅手段で増幅される入力信号をプレディストーション処理し、上記増幅手段で増幅された出力信号の歪補償を行なう歪補償方法において、上記出力信号の一部と上記入力信号とを用いて、上記入力信号の振幅参照値と歪補償係数とを補償データとして算出する係数算出ステップと、
上記係数算出ステップで算出した上記補償データを一定量保存して、上記振幅参照値の大きさ順に上記一定量の補償データを並べ替えて新規の補償テーブルを作成して更新する補償テーブル更新ステップと、
上記入力信号の振幅値を検出し、上記入力信号の振幅値に対応する上記振幅参照値を持った上記補償データを上記補償テーブルから読み出し、この補償データの上記歪補償係数を用いて上記入力信号を上記プレディストーション処理して上記増幅手段へ出力する歪補償ステップとを備えることを特徴とする歪補償方法。
【発明の詳細な説明】
【０００１】
【発明の属する技術分野】
この発明は、衛星通信や地上マイクロ波通信、移動体通信などの各通信分野において使用される低歪増幅器を実現するためのプレディストータ（適応歪補償回路）および歪補償方法に係るものであり、またこの発明は、上記のプレディストータを用いた低歪増幅器に関するものである。
【０００２】
【従来の技術】
図７は従来のプレディストータの構成を示す図、図８は従来のプレディストータの動作を示す図である。
図７において、１０１は入力端子、１０２は出力端子、１０３は変調器、１０４は増幅器、１０５は方向性結合器、１０６は復調器、１０７は係数算出部、１０９はデータ入替部、１１０は補償テーブル、１１１は振幅検出部、１１２は歪補償部である。
【０００３】
この従来のプレディストータは、係数算出部１０７，データ入替部１０９，補償テーブル１１０，振幅検出部１１１および歪補償部１１２から構成されており、例えば以下の文献１に開示されている。
【０００４】
＜文献１＞
‘Ｔｈｅ  Ｅｆｆｅｃｔ  ｏｆ  Ｑｕａｄｒａｔｕｒｅ  Ｍｏｄｕｌａｔｏｒ  ａｎｄ  Ｄｅｍｏｄｕｌａｔｏｒ  Ｅｒｒｏｒｓ  ｏｎ  Ａｄａｐｔｉｖｅ  Ｄｉｇｉｔａｌ  Ｐｒｅｄｉｓｔｏｒｔｅｒｓ  ｆｏｒ  Ａｍｐｌｉｆｉｅｒ  Ｌｉｎｅａｒｉｚａｔｉｏｎ’，Ｊ．Ｋ．Ｃａｖｅｒｓ，ＩＥＥＥ  Ｔｒａｎｓ．ｏｎ  Ｖｅｈｉｃ．Ｔｅｃｈ．，ｖｏｌ．４６，ｎｏ．２，ｐｐ４５６−４６６，Ｍａｙ  １９９７
【０００５】
次に動作について説明する。
図７において、増幅器１０４から出力した高周波信号の一部は、方向性結合器１０５を介して帰還する。この帰還信号は、復調器１０６でベースバンド信号に変換された後、入力端子１０１へ入力したベースバンド信号とともに係数算出部１０７へ入力する。係数算出部１０７は、入力端子１０１からの入力信号と復調器１０６からの帰還信号とを入力として（例えば図８（ｂ）信号入力波形例のサンプル時間ｄＴ毎に得られる入力データ）、増幅器１０４の出力が線形となるような歪補償部１１２の係数Ａｋ，Ｂｋと、入力信号の振幅ｒｋとを算出し、これらを補償データとしてデータ入替部１０９へ出力する。
【０００６】
データ入替部１０９は、入力信号振幅ｒｋに一致する補償データを補償テーブル１１０から探し出し、補償テーブル１１０中の入力信号振幅ｒｋの補償データへデータ入替部１０９の補償データを上書きする。このときの様子を図８（ａ）に示す。
【０００７】
一方、入力端子１０１へ入力したベースバンド信号は、振幅検出部１１１において入力信号振幅ｒｉが検出され、その振幅値ｒｉに応じた補償データ（ｒｉ，Ａｉ，Ｂｉ）が補償テーブル１１０から読み出されて、歪補償部１１２でプレディストーション処理が行われる。このプレディストーション処理は、ベースバンド信号の伝送速度以上の速度で行われる。歪補償部１１２でプレディストーション処理された信号は、変調器１０３で高周波信号へ変換され、増幅器１０４へ入力する。増幅器１０４は、入力された信号を増幅し、方向性結合器１０５を介して出力端子１０２から増幅信号を出力する。
【０００８】
以上の動作を繰り返すことで、増幅器１０４の出力が線形となるような補償データが補償テーブル１１０に蓄えられ、増幅器１０４の歪を低減することが可能になる。
【０００９】
【発明が解決しようとする課題】
従来のプレディストータは以上のように構成されているので、補償テーブル中の補償データに時間的不連続性が生じて、その歪補償性能が劣化してしまうという課題があった。
【００１０】
上記の課題について具体的に説明する。
従来のプレディストータでは、データ入替部１０９において、入力信号振幅ｒｋと一致する補償データを補償テーブル１１０から探し出し、データ入替部１０９の補償データを補償テーブル１１０中の入力信号振幅ｒｋの補償データへ上書きする作業を行っている。
【００１１】
一般に、ピーク対アベレージ電力比の大きい信号では、振幅の小さい信号（例えば図８（ｂ）のｒｋ）の発生する確率は高く、振幅の大きい信号（例えば図８（ｂ）のｒＮ）の発生する確率は非常に小さいことが知られている。従来のプレディストータへこのような信号を入力した場合、補償テーブル１１０に格納されている補償データのうち、小さい入力信号振幅の補償データは頻繁に書換えられるが、大きい入力信号振幅の補償データについては書換頻度が極端に減少してしまうという現象が生じる。
【００１２】
この現象は、増幅器１０４の歪特性が時間的に不変である場合にはそれほど大きな問題とはならない。しかしながら、増幅器１０４の歪特性が時間経過とともに変化する場合には、書換が頻繁に行われる小振幅の補償データと、書換頻度が極端に少ない大振幅の補償データとの間に、時間的不連続とともに歪特性の不連続が生じてしまう。
【００１３】
すなわち、信号が大振幅のときには補償データがほとんど更新されずに過去の補償データが残るため、大振幅時には、現在とは異なる過去の増幅器１０４の歪特性を打ち消すようにプレディストータが働いてしまい、現在の増幅器１０４の歪特性に対する歪補償が十分に行えなくなってしまう。
【００１４】
この発明は上記のような課題を解決するためになされたもので、補償テーブル中の補償データの時間的不連続性を抑制し、良好な歪補償性能を確保することが可能なプレディストータおよび歪補償方法を提供することを目的とする。
【００１５】
また、この発明は、ピーク対アベレージ電力比の大きい信号に対しても良好な歪補償性能を確保した低歪増幅器を提供することを目的とする。
【００１６】
【課題を解決するための手段】
この発明に係るプレディストータは、出力信号の一部と入力信号とを用いて、入力信号の振幅参照値と歪補償係数とを補償データとして算出する係数算出手段と、係数算出手段で算出した補償データを一定量保存して、振幅参照値の大きさ順に一定量の補償データを並べ替えて新規の補償テーブルを作成して更新する補償テーブル更新手段と、入力信号の振幅値を検出し、入力信号の振幅値に対応する振幅参照値を持った補償データを補償テーブルから読み出し、この補償データの歪補償係数を用いて入力信号をプレディストーション処理して増幅手段へ出力する歪補償手段とを備えるようにしたものである。
【００１７】
この発明に係るプレディストータは、入力信号の振幅値と同じ振幅参照値に対応する補償データが使用中の補償テーブルに存在しない場合に、振幅値近傍の振幅参照値を持った補償データを使用中の補償テーブルから歪補償手段が探し出して補間処理し、振幅値に相当する補償データを歪補償手段が算出するとともに、補間処理した補償データを歪補償手段が読み出してプレディストーション処理を行うようにしたものである。
【００１８】
この発明に係るプレディストータは、一定量保存した各補償データの振幅参照値と、使用中の補償テーブルの各振幅参照値とが同じ大きさとなるように、一定量保存した各補償データを補償テーブル更新手段が補間処理して新規の補償テーブルを作成するようにしたものである。
【００１９】
この発明に係るプレディストータは、係数算出手段で算出された補償データを一定量保存して、入力信号の振幅値の大きさ順に並べ替えた補償テーブル中の補償データの振幅参照値を補償テーブル更新手段が所定幅に区切って離散化し、所定幅毎に補償データを補償テーブル更新手段が平均化処理して新規の補償テーブルを作成するようにしたものである。
【００２０】
この発明に係るプレディストータは、アナログ信号を復調した信号を係数算出手段および歪補償手段へそれぞれ出力する復調手段を備えるようにしたものである。
【００２１】
この発明に係るプレディストータは、ＬＭＳアルゴリズムを用いて補償データを係数算出手段が算出するようにしたものである。
【００２２】
この発明に係る低歪増幅器は、請求項１から請求項６のうちのいずれか１項記載のプレディストータと、入力信号が入力され、プレディストータへ入力信号を与える入力端子と、プレディストータでプレディストーション処理した入力信号を増幅して出力信号として出力する増幅手段と、出力信号が出力される出力端子と、増幅手段から出力された出力信号を出力端子へ出力するとともに、増幅手段から出力された出力信号を分岐してプレディストータへ与える分岐手段とを備えるようにしたものである。
【００２３】
この発明に係る歪補償方法は、出力信号の一部と入力信号とを用いて、入力信号の振幅参照値と歪補償係数とを補償データとして算出する係数算出ステップと、係数算出ステップで算出した補償データを一定量保存して、振幅参照値の大きさ順に一定量の補償データを並べ替えて新規の補償テーブルを作成して更新する補償テーブル更新ステップと、入力信号の振幅値を検出し、入力信号の振幅値に対応する振幅参照値を持った補償データを補償テーブルから読み出し、この補償データの歪補償係数を用いて入力信号をプレディストーション処理して増幅手段へ出力する歪補償ステップとを備えるようにしたものである。
【００２４】
【発明の実施の形態】
以下、この発明の実施の一形態を説明する。
実施の形態１．
図１はこの発明の実施の形態１によるプレディストータの構成を示す図、図２はこの発明の実施の形態１によるプレディストータの動作を示す図である。
図１において、１は入力端子、２は出力端子、３は変調器（増幅手段）、４は増幅器（増幅手段）、５は方向性結合器（分岐手段）、６は復調器（分岐手段）、７は係数算出部（係数算出手段）、８は補償テーブル作成部（補償テーブル更新手段）、９はテーブル入替部（補償テーブル更新手段）、１０は補償テーブル（歪補償手段）、１１は振幅検出部（歪補償手段）、１２は歪補償部（歪補償手段）である。
【００２５】
この実施の形態１によるプレディストータは、係数算出部７，補償テーブル作成部８，テーブル入替部９，補償テーブル１０，振幅検出部１１および歪補償部１２から構成されており、補償テーブル作成部８，テーブル入替部９によって特徴付けられる。
【００２６】
次に動作について説明する。
図１において、増幅器４から出力した高周波信号の一部は、方向性結合器５を介して帰還する。この帰還信号（出力信号の一部）は、復調器６でベースバンド信号に変換された後、入力端子１へ入力したベースバンド信号とともに係数算出部７へ入力する。係数算出部７は、入力端子１からの入力信号と復調器６からの帰還信号とを入力として、入力信号と帰還信号との差が最小になるようなアルゴリズム、例えば演算量が軽減できるＬＭＳアルゴリズムを用いて、増幅器４の出力信号が線形となるような歪補償部１２の歪補償係数Ａｋ，Ｂｋと、入力信号振幅ｒｋ（振幅参照値）とを算出し、これらを補償データとして補償テーブル作成部８へ出力する（係数算出ステップ）。
【００２７】
補償テーブル作成部８は、係数算出部７から出力された補償データを一定量（例えば図２（ｂ）入力信号波形例の時間Ｔ毎に得られる一定量）保存し、入力信号振幅ｒｋの大きさ順に補償データを並べ替えて新たな補償テーブルを作成し、この新しい補償テーブルをテーブル入替部９へ出力する。テーブル入替部９は、現在使用中の補償テーブル１０の上に新しい補償テーブルの補償データを全て上書きする（補償テーブル更新ステップ）。このときの様子を図２（ａ）に示す。一般に、新しい補償テーブルの作成作業は入力信号の伝送速度より遅い速度で行われる。
【００２８】
一方、振幅検出部１１は、入力端子１へ入力したベースバンドの入力信号から入力信号振幅値ｒｉを検出する。歪補償部１２は、この入力信号振幅値ｒｉに応じた補償データ（ｒｉ，Ａｉ，Ｂｉ）の歪補償係数Ａｉ，Ｂｉを補償テーブル１０から読み出して、入力信号に対してプレディストーション処理を行なう（歪補償ステップ）。このプレディストーション処理は、ベースバンド信号の伝送速度以上の速度で行われる。歪補償部１２でプレディストーション処理された入力信号は、変調器３によって高周波の入力信号へ変換されて増幅器４へと入力する。増幅器４は、入力信号を増幅すると、方向性結合器５を介して出力端子２へ出力信号として出力する。
【００２９】
以上の動作を繰り返すことで、増幅器４の出力信号が線形となるような補償データが補償テーブル１０に蓄えられ、増幅器４の歪が低減できる。
【００３０】
この実施の形態１では、補償テーブル作成部８，テーブル入替部９の補償テーブルの作成・更新作業によって、現在使用中の補償テーブルの上に新しい補償テーブルの補償データが全て同時に上書きされるため、補償テーブルに格納されている補償データが全て同じ時刻に更新されるようになる。このため、補償テーブル中の補償データの更新時刻が時間的に一致し、良好な歪補償性能を実現することが可能となる。
【００３１】
以上のように、この実施の形態１によれば、増幅器４，方向性結合器５からの帰還信号と入力端子１からの入力信号とを用いて、入力信号振幅値ｒｋと歪補償係数Ａｋ，Ｂｋとを補償データとして算出する係数算出部７と、係数算出部７で算出した補償データ（ｒｋ，Ａｋ，Ｂｋ）を一定量保存して、入力信号振幅値ｒｋの大きさ順に一定量の補償データを並べ替えて新規の補償テーブルを作成する補償テーブル作成部８と、現在使用中の補償テーブル１０の上に新規の補償テーブルの補償データを全て上書きするテーブル入替部９と、入力信号の振幅値ｒｉを検出する振幅検出手段１１と、入力信号の振幅値ｒｉに対応する入力信号振幅値を持った補償データ（ｒｉ，Ａｉ，Ｂｉ）を補償テーブルから読み出し、この補償データの歪補償係数Ａｉ，Ｂｉを用いて入力信号をプレディストーション処理し、変調器３、増幅器４へ出力する歪補償部１２とを備えるようにしたので、補償テーブル中の補償データの時間的不連続性を抑制できるようになり、良好な歪補償性能を確保できるという効果が得られる。
【００３２】
また、この実施の形態１によれば、係数算出部７は、歪補償部１２の補償データをＬＭＳアルゴリズムで算出するようにしたので、係数算出部７における演算量を軽減できるという効果が得られる。
【００３３】
実施の形態２．
図３はこの発明の実施の形態２によるプレディストータの構成を示す図である。図１と同一符号は同一または相当する構成を表している。図３において、１３はデータ補間部（歪補償手段）である。
【００３４】
次に動作について説明する。
入力端子１へ入力したベースバンド信号から入力信号振幅値ｒｉが振幅検出部１１で検出される。
このとき、入力信号振幅値ｒｉと同じ振幅値に対応する補償データが補償テーブル１０の中にある場合には、その補償データが補償テーブル１０から読み出され、歪補償部１２でプレディストーション処理が行われる。
【００３５】
一方、入力信号振幅値ｒｉと同じ振幅値に対応する補償データが補償テーブル１０の中に存在しない場合には、入力信号振幅値ｒｉの近傍の振幅値を補償テーブル１０の中から探し出し、その振幅値に対応する補償データを用いてデータ補間部１３で補間処理をして、入力信号振幅値ｒｉに相当する補償データを算出する。歪補償部１２では、この補間後の補償データを読み出し、プレディストーション処理を行う。この補間処理を含むプレディストーション処理は、ベースバンド信号の伝送速度以上の速度で行われる。
【００３６】
このようにすることで、入力信号振幅ｒｉに応じた連続的なプレディストーション処理が歪補償部１２で可能となり、プレディストータとしての歪補償性能をさらに向上させることができる。その他の動作・効果については実施の形態１と同様であり、重複説明を省略する。
【００３７】
以上のように、この実施の形態２によれば、入力信号振幅値ｒｉと同じ振幅値に対応する補償データが補償テーブル１０の中に存在しない場合に、入力信号振幅値ｒｉ近傍の振幅値を補償テーブル１０の中から探し出すとともに、入力信号振幅値ｒｉ近傍の振幅値に対応する補償データを用いて補間処理して入力信号振幅値ｒｉに相当する補償データを算出するデータ補間部１３を備えるとともに、この補間処理した補償データを歪補償部１２が読み出してプレディストーション処理を行うようにしたので、入力信号振幅ｒｉに応じた連続的なプレディストーション処理ができるようになり、プレディストータとしての歪補償性能をさらに向上できるという効果が得られる。
【００３８】
実施の形態３．
図４はこの発明の実施の形態３によるプレディストータの構成を示す図である。図３と同一符号は同一または相当する構成を表している。図４において、１４はデータ補間部（補償テーブル更新手段）である。
【００３９】
次に動作について説明する。
補償テーブル作成部８では、係数算出部７から出力された補償データを一定量保存し、入力信号振幅ｒｋの大きさ順に補償データを並べ替えて新たな補償テーブルを作成する。その際、補償テーブル作成部８の中にある補償データの入力信号振幅値が補償テーブル１０中の入力信号振幅値と同じ大きさとなるように、データ補間部１４が補償データの補間処理を行う。
【００４０】
補償テーブル作成部８は、データ補間部１４による補間処理後の補償テーブルをテーブル入替部９へ出力し、テーブル入替部９は現在使用中の補償テーブルの上に新しい補償テーブルの補償データを全て上書きする。新しい補償テーブルの作成作業は入力信号の伝送速度より遅い速度で行われる。
【００４１】
データ補間部１４を設けて上記の補間処理を行なうことにより、補償テーブル作成部８で作られる新規の補償テーブルの大きさと、使用中の補償テーブルの大きさ、すなわち両者のメモリサイズの一致が得られ、補償テーブル作成部８と補償テーブル１０とで同一サイズのメモリを使用することができ、回路構成の簡略化が可能となる。その他の動作・効果については実施の形態２と同様であり、重複説明を省略する。なお、データ補間部１４は、実施の形態１の構成に単独で適用することが可能である。
【００４２】
以上のように、この実施の形態３によれば、係数算出部７から出力された補償データを一定量保存し、入力信号振幅ｒｋの大きさ順に補償データを並べ替えて新たな補償テーブルを補償テーブル作成部８が作成すると、補償テーブル作成部８の中にある補償データの入力信号振幅値が補償テーブル１０中の入力信号振幅値と同じ大きさとなるように、補償データの補間処理を行うデータ補間部１４を備えるようにしたので、補償テーブル作成部８と補償テーブル１０とで同一サイズのメモリを使用できるようになり、回路構成を簡略化できるという効果が得られる。
【００４３】
実施の形態４．
図５はこの発明の実施の形態４によるプレディストータの構成を示す図である。図４と同一符号は同一または相当する構成を表している。図５において、１５は平均化部（補償テーブル更新手段）である。
【００４４】
次に動作について説明する。
平均化部１５では、係数算出部７から出力された補償データを一定量保存し、入力信号の振幅ｒｋの大きさ順に補償データを並べ替えた後、入力信号振幅のダイナミックレンジを電力幅（所定幅）Δｐ毎に区切って離散化したときに、その範囲内に存在する補償データの平均化処理を行い、補償テーブル作成部８へ平均化処理の結果を出力する。
【００４５】
平均化部１５の平均化処理により、変調器３，増幅器４，復調器６などの雑音によって生じる補償データのバラツキを解消することができ、雑音による劣化の少ないプレディストータを実現することが可能となる。その他の動作・効果については実施の形態３と同様であり、重複説明を省略する。なお、平均化部１５は、実施の形態１，２の構成に単独でそれぞれ適用することが可能である。
【００４６】
以上のように、この実施の形態４によれば、係数算出部７から出力された補償データを一定量保存して、入力信号振幅ｒｋの大きさ順に補償データを並べ替えるとともに、入力信号振幅ｒｋのダイナミックレンジを電力幅Δｐ毎に区切って離散化し、電力幅Δｐの範囲内に存在する補償データの平均化処理を電力幅Δｐ毎に行って補償テーブル作成部８へ出力する平均化部１５を備えるようにしたので、変調器３，増幅器４，復調器６などから発生する雑音によって生じる補償データのバラツキを解消できるようになり、雑音による劣化の少ない歪補償が可能になるという効果が得られる。
【００４７】
実施の形態５．
図６はこの発明の実施の形態５によるプレディストータの構成を示す図である。図５と同一符号は同一または相当する構成を表している。図６において、１６は復調器（復調手段）である。
【００４８】
次に動作について説明する。
不図示のアナログ回路が出力したアナログ信号は、復調器１６へ入力される。復調器１６は、このアナログ信号をベースバンド信号に変換し、このベースバンド信号を係数算出部７，振幅検出部１１および歪補償部１２への入力信号とする。
【００４９】
このようにすることで、任意のアナログ回路の後段へプレディストータを接続することが可能となる。その他の動作・効果については実施の形態４と同様であり、重複説明を省略する。なお、復調器１６は、実施の形態１〜３の構成に単独でそれぞれ適用することが可能である。
【００５０】
以上のように、この実施の形態５によれば、アナログ信号をベースバンド信号に変換して係数算出部７，振幅検出部１１および歪補償部１２へそれぞれ出力する復調器１６を備えるようにしたので、任意のアナログ回路の後段へプレディストータを適用できるという効果が得られる。
【００５１】
なお、各実施の形態１〜実施の形態５に示したプレディストータを用いて低歪増幅器を構成しても良い。つまりこの発明のプレディストータと、プレディストータへ入力信号を与える入力端子１と、出力信号が出力される出力端子２と、プレディストータでプレディストーション処理した入力信号を変調・増幅して出力信号として出力する変調器３・増幅器４と、増幅器４から出力された出力信号を出力端子２へ出力するとともに、増幅器４から出力された出力信号の一部を分岐・復調する方向性結合器５・復調器６とを備えるようにする。このようにすることで、ピーク対アベレージ電力比の大きい信号に対しても良好な歪補償性能を確保した低歪増幅器を提供できるという効果が得られる。
【００５２】
【発明の効果】
以上のように、この発明によれば、出力信号の一部と入力信号とを用いて、入力信号の振幅参照値と歪補償係数とを補償データとして算出する係数算出手段と、係数算出手段で算出した補償データを一定量保存して、振幅参照値の大きさ順に一定量の補償データを並べ替えて新規の補償テーブルを作成して更新する補償テーブル更新手段と、入力信号の振幅値を検出し、入力信号の振幅値に対応する振幅参照値を持った補償データを補償テーブルから読み出し、この補償データの歪補償係数を用いて入力信号をプレディストーション処理して増幅手段へ出力する歪補償手段とを備えるようにしたので、補償テーブル中の補償データの時間的不連続性を抑制できるようになり、良好な歪補償性能を確保できるという効果が得られる。
【００５３】
この発明によれば、入力信号の振幅値と同じ振幅参照値に対応する補償データが使用中の補償テーブルに存在しない場合に、振幅値近傍の振幅参照値を持った補償データを使用中の補償テーブルから歪補償手段が探し出して補間処理し、振幅値に相当する補償データを歪補償手段が算出するとともに、補間処理した補償データを歪補償手段が読み出してプレディストーション処理を行うようにしたので、入力信号の振幅値に応じた連続的なプレディストーション処理ができるようになり、プレディストータとしての歪補償性能をさらに向上できるという効果が得られる。
【００５４】
この発明によれば、一定量保存した各補償データの振幅参照値と、使用中の補償テーブルの各振幅参照値とが同じ大きさとなるように、一定量保存した各補償データを補償テーブル更新手段が補間処理して新規の補償テーブルを作成するようにしたので、使用中の補償テーブルと補償テーブル更新手段とで同一サイズのメモリを使用できるようになり、回路構成を簡略化できるという効果が得られる。
【００５５】
この発明によれば、係数算出手段で算出された補償データを一定量保存して、入力信号の振幅値の大きさ順に並べ替えた補償テーブル中の補償データの振幅参照値を補償テーブル更新手段が所定幅に区切って離散化し、所定幅毎に補償データを補償テーブル更新手段が平均化処理して新規の補償テーブルを作成するようにしたので、雑音によって生じる補償データのバラツキを解消できるようになり、雑音による劣化の少ない歪補償が可能になるという効果が得られる。
【００５６】
この発明によれば、アナログ信号を復調した信号を係数算出手段および歪補償手段へそれぞれ出力する復調手段を備えるようにしたので、任意のアナログ回路の後段へプレディストータを適用できるという効果が得られる。
【００５７】
この発明によれば、ＬＭＳアルゴリズムを用いて補償データを係数算出手段が算出するようにしたので、係数算出手段における演算量を軽減できるという効果が得られる。
【００５８】
この発明によれば、請求項１から請求項６のうちのいずれか１項記載のプレディストータと、入力信号が入力され、プレディストータへ入力信号を与える入力端子と、プレディストータでプレディストーション処理した入力信号を増幅して出力信号として出力する増幅手段と、出力信号が出力される出力端子と、増幅手段から出力された出力信号を出力端子へ出力するとともに、増幅手段から出力された出力信号を分岐してプレディストータへ与える分岐手段とを備えるようにしたので、ピーク対アベレージ電力比の大きい信号に対しても良好な歪補償性能を確保した低歪増幅器を提供できるという効果が得られる。
【００５９】
この発明によれば、出力信号の一部と入力信号とを用いて、入力信号の振幅参照値と歪補償係数とを補償データとして算出する係数算出ステップと、係数算出ステップで算出した補償データを一定量保存して、振幅参照値の大きさ順に一定量の補償データを並べ替えて新規の補償テーブルを作成して更新する補償テーブル更新ステップと、入力信号の振幅値を検出し、入力信号の振幅値に対応する振幅参照値を持った補償データを補償テーブルから読み出し、この補償データの歪補償係数を用いて入力信号をプレディストーション処理して増幅手段へ出力する歪補償ステップとを備えるようにしたので、補償テーブル中の補償データの時間的不連続性を抑制できるようになり、良好な歪補償性能を確保できるという効果が得られる。
【図面の簡単な説明】
【図１】  この発明の実施の形態１によるプレディストータの構成を示す図である。
【図２】  この発明の実施の形態１によるプレディストータの動作を示す図である。
【図３】  この発明の実施の形態２によるプレディストータの構成を示す図である。
【図４】  この発明の実施の形態３によるプレディストータの構成を示す図である。
【図５】  この発明の実施の形態４によるプレディストータの構成を示す図である。
【図６】  この発明の実施の形態５によるプレディストータの構成を示す図である。
【図７】  従来のプレディストータの構成を示す図である。
【図８】  従来のプレディストータの動作を示す図である。
【符号の説明】
１  入力端子、２  出力端子、３  変調器（増幅手段）、４  増幅器（増幅手段）、５  方向性結合器（分岐手段）、６  復調器（分岐手段）、７  係数算出部（係数算出手段）、８  補償テーブル作成部（補償テーブル更新手段）、９  テーブル入替部（補償テーブル更新手段）、１０  補償テーブル（歪補償手段）、１１  振幅検出部（歪補償手段）、１２  歪補償部（歪補償手段）、１３  データ補間部（歪補償手段）、１４  データ補間部（補償テーブル更新手段）、１５  平均化部（補償テーブル更新手段）、１６  復調器（復調手段）。
【図１】
0003949449.tif 000002
【図２】
0003949449.tif 000003
【図３】
0003949449.tif 000004
【図４】
0003949449.tif 000005
【図５】
0003949449.tif 000006
【図６】
0003949449.tif 000007
【図７】
0003949449.tif 000008
【図８】
0003949449.tif 000009